(57)【要約】【課題】  筐体を分離することができる携帯電話を提供する。【解決手段】  分離可能な携帯電話１０００は、第１の筐体１００と第２の筐体１５０とを含む。第１の筐体１００は、メインアンテナ１０２と、文字を表示するための表示部１０４と、メイン無線通信部１２０と、第２の筐体１５０と通信するための第１のサブ無線通信部１３０および第１の有線通信部１３２と、第１の着脱検知部１１６とを含む。第２の筐体１５０は、第１の筐体１００と通信するための第２のサブ無線通信部１６０および第２の有線通信部１６２と、第２の着脱検知部１６４と、利用者が指令を入力するための入力部１６６とを含む。【選択図】        図１
2005184501.tif 000002
【特許請求の範囲】
【請求項１】
第１の筐体と第２の筐体とが着脱可能な通信端末であって、
前記第１の筐体は、
通信回線を介して他の通信端末と通信するための手段と、
前記第２の筐体との着脱の状態を切り替えるための第１の着脱手段と、
前記第２の筐体と結合している場合に有線を介して前記第２の筐体と通信するための第１の有線通信手段と、
前記第２の筐体と分離している場合に無線を介して前記第２の筐体と通信するための第１の無線通信手段と、
前記第１の着脱手段における前記着脱の状態を検知するための第１の着脱検知手段と、
前記第１の着脱検知手段による検知の結果に基づいて、前記第１の無線通信手段および前記第２の有線通信手段の動作を制御するための第１の通信制御手段とを含み、
前記第２の筐体は、
前記第１の筐体との着脱の状態を切り替えるための第２の着脱手段と、
前記第１の筐体と結合している場合に有線を介して前記第１の筐体と通信するための第２の有線通信手段と、
前記第１の筐体と分離している場合に無線を介して前記第１の筐体と通信するための第２の無線通信手段と、
前記第２の着脱手段における前記着脱の状態を検知するための第２の着脱検知手段と、
前記第２の着脱検知手段による検知の結果に基づいて、前記第２の無線通信手段および前記第２の有線通信手段の動作を制御するための第２の通信制御手段とを含む、通信端末。
【請求項２】
前記第１の通信制御手段は、前記第１の筐体と前記第２の筐体との分離が検知されると、前記第２の筐体との通信を、前記第１の有線通信手段による通信から前記第１の無線通信手段による通信に切り替えるための第１の切換手段を含み、
前記第２の通信制御手段は、前記分離が検知されると、前記第１の筐体との通信を、前記第２の有線通信手段による通信から前記第２の無線通信手段による通信に切り替えるための第２の切換手段を含む、請求項１に記載の通信端末。
【請求項３】
前記第１の切換手段は、前記分離が検知されると、前記第１の無線通信手段による通信を確立した後に前記第１の有線通信手段による通信を遮断し、
前記第２の切換手段は、前記分離が検知されると、前記第２の無線通信手段による通信を確立した後に前記第２の有線通信手段による通信を遮断する、請求項２に記載の通信端末。
【請求項４】
前記第１の通信制御手段は、前記第１の筐体と前記第２の筐体との結合が検知されると、前記第２の筐体との通信を、前記第１の無線通信手段による通信から前記第１の有線通信手段による通信に切り替えるための第１の切換手段を含み、
前記第２の通信制御手段は、前記結合が検知されると、前記第１の筐体との通信を、前記第２の無線通信手段による通信から前記第２の有線通信手段による通信に切り替えるための第２の切換手段を含む、請求項１に記載の通信端末。
【請求項５】
前記第１の切換手段は、前記結合が検知されると、前記第１の有線通信手段による通信を確立した後に前記第１の無線通信手段による通信を遮断し、
前記第２の切換手段は、前記結合が検知されると、前記第２の有線通信手段による通信を確立した後に前記第２の無線通信手段による通信を遮断する、請求項４に記載の通信端末。
【請求項６】
前記第１の着脱手段は、機械的な結合状態を切り替えることにより、前記第２の筐体との着脱を切り替えるための第１の着脱切換手段を含み、
前記第２の着脱手段は、前記機械的な結合状態に応じて、前記第１の筐体との着脱を切り替えるための第１の着脱切換手段を含む、請求項１に記載の通信端末。
【請求項７】
前記第１の筐体には、機械的なはめ合いにより前記第２の筐体と結合するための結合部が形成され、
前記第２の筐体には、前記機械的なはめ合いにより前記第１の筐体と結合するための結合部が形成される、請求項６に記載の通信端末。
【請求項８】
前記第１の筐体は、表示手段をさらに含み、
前記第２の筐体は、利用者が指示を入力するための入力手段をさらに含む、請求項１に記載の通信端末。
【請求項９】
前記第２の着脱検知手段は、前記利用者の指示が入力されると、前記第２の筐体と前記第１の筐体との着脱を検知する、請求項８に記載の通信端末。
【請求項１０】
前記第１の筐体はさらに、
音声を出力するための音声出力手段と、
利用者が音声を入力するための音声入力手段とを含み、
前記第２の筐体はさらに、
表示手段と、
前記利用者が指示を入力するための入力手段とを含む、請求項１に記載の通信端末。
【発明の詳細な説明】
【技術分野】
【０００１】
本発明は、通信端末に関し、特に、２つの筐体に着脱可能な通信端末に関する。
【背景技術】
【０００２】
従来、携帯電話その他の通信端末は、表示部と入力部とが一体であるため、たとえば利用者が携帯電話にて通話しているとき、入力ボタンを操作したり、モニタを見たりすることができなかった。
【０００３】
そこで、利用者が通話中にも操作できるように、たとえば特開２００１−４５１１９号公報（特許文献１）は、携帯電話機本体と、通信中の相手の電話装置から送信された情報を表示するディスプレイ装置とを含む携帯電話装置を開示する。この携帯電話装置によると、携帯電話機本体に対してディスプレイ装置が着脱自在、かつ一体となるように固定可能である。この携帯電話機本体とディスプレイ装置とが離脱されているとき、通信中の相手の電話装置から受信した情報がディスプレイ装置に表示される。このようにすると、携帯電話機本体を耳元に当てた状態であるときでも、使用者はディスプレイ装置を見ることができる。
【特許文献１】特開２００１−４５１１９号公報
【発明の開示】
【発明が解決しようとする課題】
【０００４】
しかしながら、特許文献１に開示された携帯電話装置によると、通話中にディスプレイ装置を見ることができても、通話相手からの指示に基づいて所定のボタンを押下することができないなど、入力ボタンの操作性が悪化する場合があった。
【０００５】
本発明は、上述の問題点を解決するためになされたものであって、その目的は、通話中における操作性が向上する通信端末を提供することである。
【課題を解決するための手段】
【０００６】
この発明のある局面に従うと、通信端末は、第１の筐体と第２の筐体とが着脱可能である。第１の筐体は、通信回線を介して他の通信端末と通信するための手段と、第２の筐体との着脱の状態を切り替えるための第１の着脱手段と、第２の筐体と結合している場合に有線を介して第２の筐体と通信するための第１の有線通信手段と、第２の筐体と分離している場合に無線を介して第２の筐体と通信するための第１の無線通信手段と、第１の着脱手段における着脱の状態を検知するための第１の着脱検知手段と、第１の着脱検知手段による検知の結果に基づいて、第１の無線通信手段および第２の有線通信手段の動作を制御するための第１の通信制御手段とを含む。第２の筐体は、第１の筐体との着脱の状態を切り替えるための第２の着脱手段と、第１の筐体と結合している場合に有線を介して第１の筐体と通信するための第２の有線通信手段と、第１の筐体と分離している場合に無線を介して第１の筐体と通信するための第２の無線通信手段と、第２の着脱手段における着脱の状態を検知するための第２の着脱検知手段と、第２の着脱検知手段による検知の結果に基づいて、第２の無線通信手段および第２の有線通信手段の動作を制御するための第２の通信制御手段とを含む。
【０００７】
上記の構成を有する通信端末によると、この通信端末は、第１の筐体を介して、他の通信端末と通信することができる。第１の筐体と第２の筐体とは、それぞれが有する第１の着脱手段と第２の着脱手段とにより、互いに切り離されたり、一体化されたりする。これらの着脱手段は、それぞれの筐体を、たとえば機械的にあるいは電気磁気的に分離し、接合することができる。第１の筐体と第２の筐体とが結合されると、第１の筐体の第１の有線通信手段有線と第２の筐体の第２の有線通信手段とは、その結合により形成される有線回線を介して通信する。一方、第１の筐体と第２の筐体とが分離されると、第１の筐体の第１の無線通信手段と第２の筐体の第２の無線通信手段とは、無線回線を介して通信する。このようにすると、利用者は、通信端末が一体の状態であっても、分離された状態であっても、通話したり、データの入力等を行なうことができる。これにより、利便性を向上させることができる通信端末を提供することができる。
【０００８】
好ましくは、第１の通信制御手段は、第１の筐体と第２の筐体との分離が検知されると、第２の筐体との通信を、第１の有線通信手段による通信から第１の無線通信手段による通信に切り替えるための第１の切換手段を含む。第２の通信制御手段は、分離が検知されると、第１の筐体との通信を、第２の有線通信手段による通信から第２の無線通信手段による通信に切り替えるための第２の切換手段を含む。
【０００９】
上記の構成を有する通信端末によると、結合されていた第１の筐体と第２の筐体とが分離すると、第１の筐体と第２の筐体との間の通信は、有線を介した通信から無線を介した通信に切り替えられる。したがって、それぞれの筐体が分離された状態であっても、通信端末の利用者は、結合された状態と同様に使用することができる。
【００１０】
好ましくは、第１の切換手段は、分離が検知されると、第１の無線通信手段による通信を確立した後に第１の有線通信手段による通信を遮断する。第２の切換手段は、分離が検知されると、第２の無線通信手段による通信を確立した後に第２の有線通信手段による通信を遮断する。
【００１１】
上記の構成を有する通信端末によると、第１の筐体と第２の筐体とが切り離されると、第１の切換手段と第２の切換手段とが無線による通信経路を確立し、その後有線による通信経路を遮断する。このようにすると、第１の筐体と第２の筐体との間の通信状態の切断を防止することができる。
【００１２】
好ましくは、第１の通信制御手段は、第１の筐体と第２の筐体との結合が検知されると、第２の筐体との通信を、第１の無線通信手段による通信から第１の有線通信手段による通信に切り替えるための第１の切換手段を含む。第２の通信制御手段は、結合が検知されると、第１の筐体との通信を、第２の無線通信手段による通信から第２の有線通信手段による通信に切り替えるための第２の切換手段を含む。
【００１３】
上記の構成を有する通信端末によると、分離していた第１の筐体と第２の筐体とが一体にされると、第１の筐体と第２の筐体との間の通信は、無線を介した通信から有線を介した通信に切り替えられる。したがって、それぞれの筐体が結合されても第１の筐体と第２の筐体とは通信の状態が継続されるため、利用者は、通信端末を継続して使用することができる。
【００１４】
好ましくは、第１の切換手段は、結合が検知されると、第１の有線通信手段による通信を確立した後に第１の無線通信手段による通信を遮断する。第２の切換手段は、結合が検知されると、第２の有線通信手段による通信を確立した後に第２の無線通信手段による通信を遮断する。
【００１５】
上記の構成を有する通信端末によると、第１の筐体と第２の筐体とが結合されて一体になると、第１の切換手段と第２の切換手段とが、有線による通信経路を確立し、その後、無線による通信経路を遮断する。このようにすると、第１の筐体と第２の筐体との間の通信の切断を防止することができる。
【００１６】
好ましくは、第１の着脱手段は、機械的な結合状態を切り替えることにより、第２の筐体との着脱を切り替えるための第１の着脱切換手段を含む。第２の着脱手段は、機械的な結合状態に応じて、第１の筐体との着脱を切り替えるための第１の着脱切換手段を含む。
【００１７】
上記の構成を有する通信端末によると、第１の筐体と第２の筐体との着脱状態は、機械的な結合状態（たとえば、凹部と凸部とのはめ合い等）に基づいて切り替えられるため、たとえば電磁気的結合により着脱状態を切り替える場合に比べて、通信時におけるノイズの発生を抑制することができる。
【００１８】
好ましくは、第１の筐体には、機械的なはめ合いにより第２の筐体と結合するための結合部が形成される。第２の筐体には、機械的なはめ合いにより第１の筐体と結合するための結合部が形成される。
【００１９】
上記の構成を有する通信端末によると、たとえば、凹状の結合部を第１の筐体に形成し、凸状の結合部を第２の筐体に形成することにより、あるいは逆に、凸状の結合部を第１の筐体に形成し、凹状の結合部を第１の筐体に形成することにより、利用者は、通信端末の着脱状態を容易に切り替えることができる。
【００２０】
好ましくは、第１の筐体は、表示手段をさらに含む。第２の筐体は、利用者が指示を入力するための入力手段をさらに含む。
【００２１】
上記の構成を有する通信端末によると、利用者は、第１の筐体の表示手段（たとえば、モニタ、スクリーン等）を参照しつつ、第２の筐体が有する入力手段（たとえば、操作ボタン、テンキー等）を操作することができるため、通信端末の利便性が向上する。
【００２２】
好ましくは、第２の着脱検知手段は、利用者の指示が入力されると、第２の筐体と第１の筐体との着脱を検知する。
【００２３】
上記の構成を有する通信端末によると、利用者が指示を入力することにより（たとえば、所定のボタンを押下することにより）、通信端末の各筐体を分離させたり、結合することができる。このようなときでも、通信端末は、各筐体が分離された状態で通信したり、結合された状態で通信することができる。
【００２４】
好ましくは、第１の筐体はさらに、音声を出力するための音声出力手段と、利用者が音声を入力するための音声入力手段とを含む。第２の筐体はさらに、表示手段と、利用者が指示を入力するための入力手段とを含む。
【００２５】
上記の構成を有する通信端末によると、利用者は、第１の筐体により他の通信端末と音声通信を行ないつつ、第２の筐体の入力手段を操作して、何らかの指示（たとえば、テンキーの押下）を入力することができる。このようにすると、指示の入力のために音声通話を中断する必要がないため、通信端末の利便性を向上させることができる。
【発明の効果】
【００２６】
本発明に係る通信端末によると、通信端末の利用者は、他の通信端末との通信を中断することなく、データの入力その他の操作を行なうことができるため、通信端末の操作性あるいは利便性を向上させることができる。
【発明を実施するための最良の形態】
【００２７】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２８】
図１を参照して、本発明の実施の形態に係る通信端末の一態様である携帯電話１０００の構成について説明する。図１（Ａ）は、一体の状態にある携帯電話１０００の構成の概略を表わす図である。図１（Ｂ）は、携帯電話１０００を２つの筐体に分離した状態を表わす図である。
【００２９】
図１（Ａ）に示すように、この携帯電話１０００は、第１の筐体１００と第２の筐体１５０とを含む。第１の筐体１００は、メインアンテナ１０２と、表示部１０４と、メイン無線通信部１２０と、第１のサブ無線通信部１３０とを含む。第２の筐体１５０は、入力部１６６と、第２のサブ無線通信部１６０とを含む。
【００３０】
図１（Ｂ）に示すように、第１の筐体１００は第１の着脱検知部１１６を含み、第２の筐体１５０は第２の着脱検知部１６４を含む。携帯電話１０００は、第１の着脱検知部１１６と第２の着脱検知部１６４とにより、着脱の状態、すなわち結合された状態と分離された状態とが切り替えられる。
【００３１】
携帯電話１０００が一体であるとき、第１の筐体１００と第２の筐体１５０とはそれぞれ第１の有線通信部１３２と第２の有線通信部１６２とによって機械的に接続され通信が可能である。一方、携帯電話１０００が分離された状態であるとき、第１の筐体１００と第２の筐体１５０とは、後述するようにそれぞれの無線通信部を介して相互に通信可能になる。
【００３２】
図２を参照して、本実施の形態に係る携帯電話１０００の第１の筐体１００についてさらに説明する。図２は、第１の筐体１００の有する機能の構成を表わすブロック図である。
【００３３】
図２に示すように、第１の筐体１００は、メインアンテナ１０２、メイン無線通信部１２０、表示部１０４、および第１のサブ無線通信部１３０に加えて、メモリ１０６と、スピーカ１０８と、第１の制御部１１０と、第１のバッテリ１１２と、マイク１１４と、第１の有線通信部１３２とを含む。
【００３４】
メインアンテナ１０２は、通信回線を介して他の携帯電話等と通信する。この通信は、メイン無線通信部１２０の動作により行なわれる。
【００３５】
表示部１０４は、たとえば液晶ディスプレイである。表示部１０４は、ユーザの入力による文字その他の情報を表示したり、受信した電子メールその他のデータを表示する。
【００３６】
メモリ１０６は、たとえばフラッシュメモリである。メモリ１０６は、携帯電話１０００に所定の動作をさせるための予め定められたプログラム、ユーザが入力した電話帳情報などを記憶する。
【００３７】
第１の制御部１１０は、第１の着脱検知部１１６の検知結果に基づいて第２の筐体１５０との通信を制御する。この制御では、たとえば第１の筐体１００と第２の筐体１５０とが結合されている場合には、第１の筐体１００と第２の筐体１５０との通信は、第１の有線通信部１３２を介して行なわれる。一方、第１の筐体１００と第２の筐体１５０とが分割されている場合には、第１の筐体１００と第２の筐体１５０との通信は第１のサブ無線通信部１３０を介して行なわれるように制御する。
【００３８】
第１の着脱検知部１１６は、たとえば機械的スイッチである。第１の着脱検知部１１６は、第２の筐体１５０との機械的結合あるいは分割を検知する。この検知結果は、電気信号に変換され、第１の制御部１１０に送信される。
【００３９】
第１のサブ無線通信部１３０は、第２の筐体１５０と無線通信を行なうためのものである。第１のサブ無線通信部１３０は、たとえばブルートゥースにより行なわれるがこれに限られるものではない。
【００４０】
第１の有線通信部１３２は、第２の筐体１５０と有線を介して通信するためのものである。すなわち第１の筐体１００と第２の筐体１５０とが結合されている場合には、第１の筐体１００と第２の筐体１５０との間の通信は有線を介して行なわれる。
【００４１】
図３を参照して、本実施の形態に係る携帯電話１０００の第２の筐体１５０の構成について説明する。図３は、第２の筐体１５０の構成を表わす機能ブロック図である。
【００４２】
図３に示すように、第２の筐体１５０は、第２のサブ無線通信部１６０と、第２の有線通信部１６２と、第２の着脱検知部１６４と、入力部１６６と、メモリ１６８と、第２の制御部１７０と、第２のバッテリ１７２とを含む。
【００４３】
第２のサブ無線通信部１６０は、第１の筐体１００の第１のサブ無線通信部１３０と通信するためのものである。この通信に使用される技術は、たとえばブルートゥース技術であるが、これに限られない。
【００４４】
第２の有線通信部１６２は、第２の筐体１５０が第１の筐体１００と結合されている場合に、有線を介して通信する。すなわち、第１の筐体１００と第２の筐体１５０との接合部が有線回線を形成することにより、第２の有線通信部１６２は、第１の筐体１００の第１の有線通信部１３２と通信することができる。
【００４５】
第２の着脱検知部１６４は、たとえば機械的スイッチである。第２の筐体１５０が第１の筐体１００から分割されると、第２の着脱検知部１６４は、その検知結果を第２の制御部１７０に通知する。
【００４６】
なお、この第２の着脱検知部１６４を有線回線として機能させてもよい。このようにすると、有線回線を構成するための専用の部品を使用する必要がなくなるため、部品点数の増加を防止することができる。
【００４７】
入力部１６６は、たとえば操作ボタンあるいは数字ボタンである。入力部１６６は、ユーザによる指示の入力を検知すると、その検知結果を第２の制御部１７０に通知する。
【００４８】
メモリ１６８は、たとえばフラッシュメモリである。メモリ１６８は、第２のサブ無線通信部１６０あるいは第２の有線通信部１６２などに所定の動作をさせるためのプログラムを予め記憶する。また、メモリ１６８は、第２の筐体１５０にその他の所定の動作をさせるためのプログラムあるいはデータを記憶する。
【００４９】
第２の制御部１７０は、入力される信号に基づいて、第２の筐体１５０の各部の動作を制御する。この信号には、入力部１６６を介して入力される指示に基づく信号、第２の着脱検知部１６４により検知された着脱の状態を表わす信号等が含まれる。
【００５０】
第２の筐体１５０が第１の筐体１００から分離されると、第２の制御部１７０は、第２の着脱検知部１６４からの信号に基づいて、第２のサブ無線通信部１６０による通信経路を確立する。第２の制御部１７０は、さらに、第２の有線通信部１６２による通信経路を遮断する。また、第２の制御部１７０は、入力部１６６からの信号に対して所定の変換処理を行なうことにより、第２のサブ無線通信部１６０により通信が可能になるようにデータを変換する。
【００５１】
第２のバッテリ１７２は、たとえば第２の筐体１５０が第１の筐体１００から分離された状態にある間、第２の筐体１５０の各部の動作に必要な電力を供給する。第２の筐体１５０が第１の筐体と一体の状態である場合には、第２のバッテリ１７２は、電力の供給を休止する。
【００５２】
図４を参照して、本実施の形態に係る携帯電話１０００の制御構造について説明する。図４は、携帯電話１０００の第１の制御部１１０が実行する処理の手順を表わすフローチャートである。
【００５３】
ステップＳ４０２にて、第１の制御部１１０は、第１の筐体１００と第２の筐体１５０とが結合されているときの通信処理を実行する。すなわち、第１の筐体１００と第２の筐体１５０との間の通信は、有線通信として行なわれる。
【００５４】
ステップＳ４０４にて、第１の制御部１１０は、第１の筐体１００と第２の筐体１５０とが分離されたか否かを判断する。この判断は、たとえば第１の着脱検知部１１６からの信号に基づいて行なわれる。この信号は、第１の筐体１００と第２の筐体１５０とが分離されている場合と、第１の筐体１００と第２の筐体１５０とが結合されている場合とでは異なる。第１の筐体１００と第２の筐体１５０とが分離されていると判断した場合には（ステップＳ４０４にてＹＥＳ）、処理はステップＳ５００に移される。そうでない場合には（ステップＳ４０４にてＮＯ）、処理はステップＳ４０２に戻される。
【００５５】
ステップＳ５００にて、第１の制御部１１０は、第１の筐体１００の無線通信処理を実行する。これにより、第１の筐体１００から第２の筐体１５０に対する通信の形態は、有線通信から無線通信に切り替えられる。
【００５６】
ステップＳ６００にて、第２の筐体１５０の第２の制御部１７０は、第１の筐体１００との間で無線通信処理を実行する。
【００５７】
ステップＳ４１０にて、第１の筐体１００の第１の制御部１１０は、第１の筐体１００と第２の筐体１５０とが結合したか否かを判断する。この判断は、たとえば第１の着脱検知部１１６からの信号に基づいて行なわれる。第１の制御部１１０が、第１の筐体１００と第２の筐体１５０とは結合していると判断した場合には（ステップＳ４１０にてＹＥＳ）、処理はステップＳ７００に移される。そうでない場合には（ステップＳ４１０にてＮＯ）、処理はステップＳ５００に戻される。
【００５８】
ステップＳ７００にて、第１の筐体１００の第１の制御部１１０は、第１の有線通信部１３２を介して第２の筐体１５０と有線通信を行なう。
【００５９】
ステップＳ８００にて、第２の制御部１７０は、第２の有線通信部１６２を介して第１の筐体１００との間で有線通信を行なう。
【００６０】
図５を参照して、本実施の形態に係る携帯電話１０００の第１の筐体１００の制御構造について説明する。図５は、第１の筐体１００の第１の制御部１１０が実行する無線通信処理の手順を表わすフローチャートである。
【００６１】
ステップＳ５０２にて、第１の制御部１１０は、第１のサブ無線通信部１３０を介した通信経路を確立する。
【００６２】
ステップＳ５０４にて、第１の制御部１１０は、第１のサブ無線通信部１３０を介して第２の筐体１５０の第２のサブ無線通信部１６０と通信する。
【００６３】
ステップＳ５０６にて、第１の制御部１１０は、第１の有線通信部１３２を介した通信経路を遮断する。
【００６４】
図６を参照して、本実施の形態に係る携帯電話１０００の第２の筐体１５０の制御構造について説明する。図６は、第２の筐体１５０の第２の制御部１７０が実行する無線通信処理の手順を表わすフローチャートである。
【００６５】
ステップＳ６０２にて、第２の制御部１７０は、第２のサブ無線通信部１６０を介した通信経路を確立する。
【００６６】
ステップＳ６０４にて、第２の制御部１７０は、第２のサブ無線通信部１６０により、第１の筐体１００の第１のサブ無線通信部１３０と通信する。
【００６７】
ステップＳ６０６にて、第２の制御部１７０は、第２の有線通信部１６２を介した通信経路を遮断する。
【００６８】
図７を参照して、本実施の形態に係る携帯電話１０００の第１の筐体１００の制御構造についてさらに説明する。図７は、第１の筐体１００の第１の制御部１１０が実行する有線通信処理の手順を表わすフローチャートである。
【００６９】
ステップＳ７０２にて、第１の制御部１１０は、第１の有線通信部１３２を介した通信経路を確立する。
【００７０】
ステップＳ７０４にて、第１の制御部１１０は、第１の有線通信部１３２を介して有線通信を第２の筐体１５０と開始する。
【００７１】
ステップＳ７０６にて、第１の制御部１１０は、第１のサブ無線通信部１３０を介した無線通信経路を遮断する。
【００７２】
図８を参照して、本実施の形態に係る携帯電話１０００の第２の筐体１５０の制御構造についてさらに説明する。図８は、第２の筐体１５０の第２の制御部１７０が実行する有線通信処理の手順を表わすフローチャートである。
【００７３】
ステップＳ８０２にて、第２の制御部１７０は、第２の有線通信部１６２を介した通信経路を確立する。
【００７４】
ステップＳ８０４にて、第２の制御部１７０は、第２の有線通信部１６２を介して第１の筐体１００の第１の有線通信部１３２と通信する。
【００７５】
ステップＳ８０６にて、第２の制御部１７０は、第２のサブ無線通信部１６０を介した無線通信経路を遮断する。
【００７６】
以上のような構造およびフローチャートに基づく、本実施の形態に係る分割可能な携帯電話１０００の動作について説明する。
【００７７】
ユーザが携帯電話１０００を結合した状態で使用しているときに（ステップＳ４０２）、着脱用のボタンを押下して第１の筐体１００と第２の筐体１５０とを分離すると（ステップＳ４０４にてＹＥＳ）、第１の筐体１００において無線通信経路が確立される（ステップＳ５０２）。
【００７８】
第１の筐体１００から第２の筐体１５０への無線通信が開始される（ステップＳ５０４）。一方、第２の筐体１５０において、第１の筐体１００との無線通信経路が確立される（ステップＳ６０２）。また、第２の筐体１５０から第１の筐体１００への無線通信が開始される（ステップＳ６０４）。これにより、ユーザは、第１の筐体１００と第２の筐体１５０とを分離した状態で、そのまま携帯電話１０００の使用（他の通信端末との通話、第１の筐体１００によるデータの入力等）を継続することができる。
【００７９】
その後、ユーザが第１の筐体１００と第２の筐体１５０とを結合すると（ステップＳ４１０にてＹＥＳ）、第１の筐体１００において第１の有線通信部１３２を介した有線通信経路が確立される（ステップＳ７０２）。一方、第２の筐体１５０において、第２の有線通信部１６２を介した有線通信経路が確立される（ステップＳ８０２）。これにより第１の筐体１００と第２の筐体１５０との間は有線通信により通信が行なわれ、第１の筐体１００における無線通信経路および第２の筐体１５０における無線通信経路が遮断される（ステップＳ７０６、ステップＳ８０６）。これにより、ユーザが、携帯電話１０００の使用中に分離されていたそれぞれの筐体を一体にしても、そのときの通信は途絶えないため、ユーザは携帯電話１０００をそのまま継続して使用することができる。
【００８０】
以上のようにして、本実施の形態に係る携帯電話１０００は、ユーザが使用中にそれぞれの筐体を分割したりあるいは逆に結合した場合に、各筐体間の通信を遮断することがない。したがって、たとえば第１の筐体１００に表示部１０４を設けて第２の筐体１５０に入力部１６６を設けることによりユーザは携帯電話１０００に対する操作をより容易に行なうことができる。これにより、ユーザに対する操作性を向上させることができる携帯電話を提供することができる。
【００８１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８２】
【図１】本発明の実施の形態に係る分割可能な携帯電話の構成を説明するための図である。
【図２】本発明の実施の形態に係る携帯電話の第１の筐体が有する機能の構成を表わすブロック図である。
【図３】本発明の実施の形態に係る携帯電話の第２の筐体が有する機能の構成を表わすブロック図である。
【図４】本発明の実施の形態に係る携帯電話の制御構造を表わすフローチャートである。
【図５】本発明の実施の形態に係る携帯電話の第１の筐体の制御構造を表わすフローチャート（その１）である。
【図６】本発明の実施の形態に係る携帯電話の第２の筐体の制御構造を表わすフローチャート（その１）である。
【図７】本発明の実施の形態に係る携帯電話の第１の筐体の制御構造を表わすフローチャート（その２）である。
【図８】本発明の実施の形態に係る携帯電話の第２の筐体の制御構造を表わすフローチャート（その２）である。
【符号の説明】
【００８３】
１００  第１の筐体、１０２  メインアンテナ、１０４  表示部、１０６，１６８  メモリ、１０８  スピーカ、１１０  第１の制御部、１１２，１７２  バッテリ、１１４  マイク、１１６  第１の着脱検知部、１２０  メイン無線通信部、１３０  第１のサブ無線通信部、１３２  第１の有線通信部、１５０  第２の筐体、１６０  第２のサブ無線通信部、１６２  第２の有線通信部、１６４  第２の着脱検知部、１６６  入力部、１７０  第２の制御部、１０００  携帯電話。
【図１】
2005184501.tif 000003
【図２】
2005184501.tif 000004
【図３】
2005184501.tif 000005
【図４】
2005184501.tif 000006
【図５】
2005184501.tif 000007
【図６】
2005184501.tif 000008
【図７】
2005184501.tif 000009
【図８】
2005184501.tif 000010